(57)【特許請求の範囲】
【請求項１】
カメラと三脚の雲台との間に配置されるカメラブレ防止装置において、
前記カメラを固定し、前記三脚の雲台に着脱自在に装着可能であり、金属または樹脂から成り、左右いずれか一方に側壁を有する基盤と、
前記カメラに装着される望遠レンズを支承する支承受座を有する長穴付き支持腕と、
前記長穴付き支持腕の回動の中心となり、レバーを回し、螺合することで、前記長穴付き支持腕を前記側壁に圧接するレバー付きボルトと、を備え、
前記レバー付きボルトは、内部に第１及び第２セレーション付きのナットを有し、前記レバー付きボルトのレバーを引き上げると、前記第１及び第２セレーション付きのナットが内部で噛み合いが外れ、ロックが解除し、前記レバーを任意の位置に回すことが出来、前記レバーを戻すと、前記第１及び第２セレーション付きのナットが内部で噛み合い、再度ロック状態となることを特徴としたカメラブレ防止装置。
【請求項２】
前記レバー付きボルトは、内部にバネを有し、前記バネはレバーを引き上げると、元に戻そうとすることを特徴とする請求項１記載のカメラブレ防止装置。
【請求項３】
請求項１記載のカメラブレ防止装置であって、
前記側壁と前記長穴付き支持腕を挟む第１クラッチ板と第２クラッチ板を有することを特徴とするカメラブレ防止装置。
【請求項４】
第１クラッチ板にはピン取付け穴があり、前記ピン取付け穴に連結ピンを備えることを特徴とする請求項３記載のカメラブレ防止装置。
【発明の詳細な説明】
【技術分野】
【０００１】
本発明は小さな力で大きな締結力を生み出し、安価で振動に強いカメラブレ防止装置の提供を目的とする。
【背景技術】
【０００２】
従来のカメラブレ防止装置は、カメラブレ防止装置に搭載したカメラを強固に固定するため、ノブ付き連結ボルトを回し、その締結力を用いていた。例えば、特許公開２００４−２５８６３３公報に記載された従来のカメラブレ防止装置で、示されるものである。上記の公開公報の図１に示されたノブ付き連結ボルト２２を締め付けることで、その締結力によって、カメラをカメラブレ防止装置に強固に固定することが出来、カメラブレ防止装置は三脚に固定されており、カメラブレ防止装置を仲介することで、カメラと三脚とが一体的に連結することが出来る。これにより、超望遠レンズを接合した重いカメラであっても、強固に固定することが出来、撮影時には、超望遠レンズを接合したカメラが一体となって上向き、下向き、横向き等、自由に選択できるものでありながら、可動範囲でブレ止めを図ることができ、ブレの全くない状態で被写体を的確に撮影でき、望遠系撮影におけるカメラブレ防止が容易となり、綺麗な画像を撮影することができる。
【特許文献１】特許公開２００４−２５８６３３公報
【発明の開示】
【発明が解決しようとする課題】
【０００３】
しかしながら、上記背景技術には以下のような問題が発生した。ノブ付き連結ボルトを回し、強力な締結力を得るには、相応の腕力が必要となり、例えば、非力な女性がノブ付き連結ボルトを回した場合には、十分な締結力を得ることが出来ず、期待されるカメラブレ防止を得ることが出来ないと言った問題があった。
【０００４】
また、上記背景技術の構成で、ノブ付き連結ボルトを非常に強い力で回すと、解除する時に、同等以上の力が必要になり、場合によっては、解除できないと言った問題も、同時に発生した。
【課題を解決するための手段】
【０００５】
本発明に係る主たる発明は、カメラと三脚の雲台との間に配置されるカメラブレ防止装置において、前記カメラを固定し、前記三脚の雲台に着脱自在に装着可能であり、一方の辺に設けられる側壁を有する基盤と、前記カメラに装着される望遠レンズを支承する支承受座を有する長穴付き支持腕と、前記長穴付き支持腕の回動の中心となり、レバーを回し、螺合することで、前記長穴付き支持腕を前記側壁に圧接するレバー付きボルトと、を備え、前記レバー付きボルトは、前記レバー付きボルトのレバーを引き上げると、内部で噛み合いが外れ、ロックが解除し、前記レバーを任意の位置に回すことが出来、前記レバーを戻すと、内部で噛み合い、再度ロック状態となることを特徴とする。
【０００６】
また、本発明の他の特徴は、添付図面及び本明細書の記載により明らかとなる。
【発明の効果】
【０００７】
本発明によれば、大きな腕力を必要とせず、カメラをカメラブレ防止装置に強固に固定することが可能となる。また、解除する際にも、大きな腕力を必要とせず、非常に使い勝手が良い。
【０００８】
また、強固にカメラをカメラブレ防止装置に固定することで、質の高いカメラブレ防止が可能となり、更に綺麗な映像の撮影を実現することが出来る。
【発明を実施するための最良の形態】
【０００９】
本発明の詳細を図面に従って具体的に説明する。図１は本発明のカメラブレ防止装置を示す構成図である。図１において、基盤１はステンレス製であって、三脚の雲台に着脱自在に装着することが出来る。
【００１０】
基盤１は、階段状の２段構成になっており、基盤１の下段には三脚の雲台に固定するために、雲台取付け穴２Ａ、雲台取付け穴２Ｂが設けられている。２つ設けられているのは、多種多様な雲台の形状に対応するためであり、雲台取付け穴２Ａと雲台取付け穴２Ｂのうち、雲台及び望遠レンズ付きカメラとのバランスが良いと思われる方を選択できる様にした為である。
【００１１】
また、基盤１の上段は、カメラ本体を固定する支持台の機能を有している。カメラ取付け穴３を設けており、カメラ取付け穴３を通じて、カメラ固定用ノブ付きボルト４でカメラ本体を着脱自在に基盤１に装着することが出来る。また、基盤１の上段には、ラバー５（ゴム製）の膜を貼り付けてあり、摩擦力により、カメラを取付けた際に、カメラ本体を基盤１に固定し易い様になっている。
【００１２】
また、基盤１は、一方の辺の側壁に長穴付き側壁６を備えている。基盤１は、ある程度の厚みの有るステンレス製の金属板状の構造であり、１枚のステンレス材を折り曲げた構成となっており、一体型の形状となっている。ステンレスは剛性が高く、サビ難く、耐久性も優れた材料である。
【００１３】
また、図示していないが、基盤１と長穴付き側壁６とは、別々の金属板で、複数のボルトによって、基盤１の一方の辺に固定しても良い。また、実施例では、ステンレス製とした基盤１も、ある程度の強度がある別の金属や樹脂で作成しても良い。
【００１４】
この長穴付き側壁６の外側には、長穴付き腕８があり、長穴付き側壁６と長穴付き腕８を挟み込む様にクラッチ板９Ａ、クラッチ板９Ｂがあり、アジャストクランプレバー付きボルト７がそれらをナット１０Ａ、ナット１０Ｂにより、圧接し、固定する構造となっている。
【００１５】
すると、アジャストクランプレバー付きボルト７を緩めると、長穴付き側壁６のレールに沿って、長穴付き腕８を伸ばしたり、縮めたりが自由に出来ることになる。
【００１６】
ナット１０Ａとナット１０Ｂの頭部の形状は、一般的なボルトに用いられる六角形であり、互いに締め付けることで固定することが出来る。また、クラッチ板９Ａ、クラッチ板９Ｂは、長穴付き腕８と一緒に、可動するので、円形の方が望ましい。長穴付き腕８の先には、ローラー状支承受座１１が設けられている。
【００１７】
ローラー状支承受座１１は、硬質ウレタンを用いており、カメラ本体に装着された望遠レンズを固定するのに好適な材質を用いている。これは、硬すぎると望遠レンズを支える際に振動を吸収することが出来ず、逆に、柔らかすぎると重い望遠レンズを支えるため、削られたり、傷が付いたりして、耐久性に問題がある為である。
【００１８】
長穴付き腕８を可動させ、望遠レンズを固定したい位置で、アジャストクランプレバー付きボルト７を螺合し、この螺合力をクラッチ板９Ａ、クラッチ板９Ｂを介し、長穴付き側壁６に十分に伝えることで、長穴付き腕８を長穴付き側壁６に圧接することが出来る。
【００１９】
また、クラッチ板９Ｂには、連結ピン１２があり、アジャストクランプレバー付きボルト７を螺合する際に、クラッチ板９Ｂが回転することを防止する働きをすることで、より螺合力を伝え易い構成となっている。
【００２０】
特許文献１を用いたカメラブレ防止装置では、基盤１の両辺の側壁に長穴付き側壁をそれぞれ設けているのに対し、本発明では、基盤１の一方の辺のみに側壁に長穴付き側壁６を設けている。これは、好適に螺合力を得ることが出来たためで、片方の側壁のみで、十分に支えることが可能となった。これにより、部品点数を減らし、更に軽量にすることが出来た。
【００２１】
図２は本発明のカメラブレ防止装置を示す詳細構成図であり、部品を展開した状態の詳細構成図であり、図１で示すことが出来なかった部品を示す。また、図１で説明した部品については、説明が重複するので省略する。
【００２２】
先ず、ワッシャ１３、ワッシャ１４を示す。ワッシャ１３は、ナット１０Ａ（鉄製）と、クラッチ板９Ｂ（アルミ製）の間に設置される。これは、何度も締め付けることで、硬い鉄製のナット１０Ａがアルミ製のクラッチ板９Ｂを磨耗するのを防止する働きをする。ワッシャ１４も、同様に、クラッチ板９Ａが、アジャストクランプレバー付きボルト７により、磨耗することのを防止する働きをする。どちらも、製品の耐久性を向上するための部品である。
【００２３】
次に、連結ピン１２が入るピン取付け穴１５がクラッチ板９Ｂに設けられており、連結ピン１２は、ピン取付け穴１５を挿入され、一部が突起し、突起した部分が、長穴付き側壁６のレールに入り、アジャストクランプレバー付きボルト７が螺合する際に、クラッチ板９Ｂは、連結ピン１２とアジャストクランプレバー付きボルト７の２軸により、支えられることで、クラッチ板９Ｂの回転を防止することが出来、アジャストクランプレバー付きボルト７の螺合する螺合力を伝え易くすることが可能となる。
【００２４】
仮に、アジャストクランプレバー付きボルト７を螺合する際、締め付ける対象となるクラッチ板９Ｂの回転すると、固定する直前で、クラッチ板９Ｂと一緒にアジャストクランプレバー付きボルト７が回転し、締め付け位置がカメラの望遠レンズに当たる位置なってしまうこともあり、固定することが難しい事態となることがあり、クラッチ板９Ｂは回転しない方が望ましい。
【００２５】
また、撮影時以外は、長穴付き支持腕８の先にあるローラー状支承受座１１を支える支軸１６を固定用溝１７に合わせて、固定すると、ローラー状支承受座１１が安定的に固定状態となり、持ち運びの際、好適な状態となる。
【００２６】
図３は完成品状態でのそれぞれの部品を上部から示した詳細透視図である。斜線で示された部分が基盤１であり、それぞれの位置関係を理解することが出来る。
【００２７】
先ほど、説明した様に、クラッチ板９Ｂには、ピン取付け穴１５があり、連結ピン１２は、一部が突起しており、長穴付き側壁６のレールまで達している。これにより、クラッチ板９Ｂは、アジャストクランプレバー付きボルト７と連結ピン１２の２軸により、支えられることになる。２軸により、支えられることで、アジャストクランプレバー付きボルト７を螺合する際に、クラッチ板９Ｂは回転することは無くなる。アジャストクランプレバー付きボルト７を螺合する対象となるクラッチ板９Ｂが回転しなくなったことで、螺合し易くなる。これにより、比較的に少ない労力で螺合することが可能となる。
【００２８】
但し、上記の２軸になっても、クラッチ板９Ｂは、長穴付き側壁４の長穴に沿って、可動することが可能であり、より長い望遠レンズを支える為、長穴付き支持腕８を基盤１から遠くに延ばすことが出来る。これにより、多様な三脚の雲台に対応するには、長穴付き側壁６の長穴の位置によって、長穴付き支持腕８の回動の中心となる位置を変えることが出来、三脚の雲台と当たることで、上手く動かせないと言った事態を回避することが出来る。
【００２９】
図４、図５に、アジャストクランプレバー付きボルト７を螺合する際の構成図を示す。アジャストクランプレバー付きボルト７を回すことで、長穴付き支持腕８を長穴付き側壁４に固定することが理解することが出来る。アジャストクランプレバー付きボルト７は、そのアジャストクランプレバーにより、従来、使用していた公開公報の図１に示されたノブ付き連結ボルトと比べて、テコの原理より、より大きな螺合力を得ることが出来る。
【００３０】
これにより、比較的に大きな腕力を必要とせず、長穴付き支持腕８を長穴付き側壁６に固定でき、同時に、望遠レンズ付きカメラをカメラブレ防止装置に強固に固定することが可能となる。また、解除する際にも、大きな腕力を必要とせず、非常に使い勝手が良い。強固に望遠レンズ付きカメラをカメラブレ防止装置に固定することで、質の高いカメラブレ防止が可能となり、更に綺麗な映像の撮影を実現することが出来る。
【００３１】
ここで、アジャストクランプレバー付きボルト７について、説明する。図６は、アジャストクランプレバー付きボルト７の拡大図である。回し半径Ｒが、従来のノブ付き連結ボルトの半径と比較して大きく、小さな力で効率良く、締め付けることが出来る。
【００３２】
但し、問題があり、単純に、回し半径Ｒが大きいだけでは、望遠レンズを装着した場合、望遠レンズに当たってしまい、アジャストクランプレバー付きボルト７を締め付けることが出来ない。アジャストクランプレバー付きボルト７には、図７、図８、図９に示す様な構成上の特徴がある。
【００３３】
締め付ける場合、先ず、図７に示す様に、アジャストクランプレバー付きボルト７を矢印の方向に引き上げると、アジャストクランプレバー付きボルト７の内部にあるセレーション付きナット１８Ａ、１８Ｂの噛み合いが外れて、ロックが解除状態となる。図１０にセレーション付きナットの構成を示す。セレーション付きナットとは、溝付きのナットが組み合わされたものである。
【００３４】
ロック解除状態で、図８に示す様に、アジャストクランプレバー付きボルト７を矢印の方向に回すことが出来、アジャストクランプレバー付きボルト７を望遠レンズが当たらない位置まで動かすことが出来る。
【００３５】
図９に示す様に、望遠レンズが当たらない位置まで、アジャストクランプレバー付きボルト７を動かすと、アジャストクランプレバー付きボルト７から手を離し、内部のバネ１９の力で、矢印の方向に、引き下げられ、内部のセレーション付きナット１８Ａ、１８Ｂが噛み合い、再度、ロック状態となる。この状態で、アジャストクランプレバー付きボルト７を回し、長穴付き支持腕８を長穴付き側壁４に固定することが出来る。
【００３６】
図７、図８、図９の一連の動作で、アジャストクランプレバー付きボルト７を望遠レンズに当たらない位置で、締め付けることが可能となる。
【００３７】
本実施例では、アジャストクランプレバー付きボルト７を用いたが、テンションレバー付きボルト、トルクコントロールレバー付きボルトであっても、同等の動作をすること出来る。図１１にテンションレバー付きボルト２０の構成図を示す。テンションレバー付きボルトは、レバーを押し付けると歯止めが作用するプッシュロック式で、手を離すと内部のバネの力で元に戻り、フリーに回転させることが出来る構成となっています。
【００３８】
以上、本発明の実施の形態について、その実施の形態に基づき具体的に説明したが、これに限定されるものではなく、その要旨を逸脱しない範囲で種々変更可能である。
【図面の簡単な説明】
【００３９】
【図１】本発明の一実施例に係るカメラブレ防止装置を示す構成図である。
【図２】本発明の一実施例に係るカメラブレ防止装置を示す詳細構成図である。
【図３】本発明の一実施例に係るカメラブレ防止装置を示す詳細構成図である。
【図４】本発明の一実施例に係るカメラブレ防止装置を示す構成図である。
【図５】本発明の一実施例に係るカメラブレ防止装置を示す構成図である。
【図６】本発明の一実施例に係るアジャストクランプレバー付きボルトを示す図である。
【図７】本発明の一実施例に係るアジャストクランプレバー付きボルトの内部の構成を示す図である。
【図８】本発明の一実施例に係るアジャストクランプレバー付きボルトの内部の構成を示す図である。
【図９】本発明の一実施例に係るアジャストクランプレバー付きボルトの内部の構成を示す図である。
【図１０】本発明の一実施例に係るセレーション付きナットを示す図である。
【図１１】本発明の一実施例に係るテンションレバーを示す図である。
【符号の説明】
【００４０】
１  基盤
２Ａ  雲台取付け穴
２Ｂ  雲台取付け穴
３  カメラ取付け穴
４  カメラ固定用ノブ付きボルト
５  ラバー
６  長穴付き側壁
７  アジャストクランプレバー付きボルト
８  長穴付き腕
９Ａ  クラッチ板
９Ｂ  クラッチ板
１０Ａ  ナット
１０Ｂ  ナット
１１  ローラー状支承受座
１２  連結ピン
１３  ワッシャ
１４  ワッシャ
１５  ピン取付け穴
１６  支軸
１７  固定用溝
１８Ａ  セレーション付きナット
１８Ｂ  セレーション付きナット
１９  バネ
２０  テンションレバー付きボルト
【図１】
0005084568.tif 000002
【図２】
0005084568.tif 000003
【図３】
0005084568.tif 000004
【図４】
0005084568.tif 000005
【図５】
0005084568.tif 000006
【図６】
0005084568.tif 000007
【図７】
0005084568.tif 000008
【図８】
0005084568.tif 000009
【図９】
0005084568.tif 000010
【図１０】
0005084568.tif 000011
【図１１】
0005084568.tif 000012